(57)【要約】  コンテナの積載及び搬出が最短時間で合理的に行われるようにするタワー式コンテナ積載システムのコンテナの処理方法を提供する。鉄骨構造体の内部に積載するコンテナが進入すると、このコンテナが積載される位置を指定する積載位置指定段階と、前記鉄骨構造体の昇降路に沿ってトラベラーでコンテナを前記積載される位置の層まで上昇させるコンテナ上昇段階と、前記コンテナが積載される層に達すると、前記コンテナを、前記積載される層の先端に位置している臨時積載場所に移送させて積載する臨時積載段階と、前記臨時積載場所に保管されているコンテナを、積載される層の内部に設置された移送トラベラーによってあらかじめ指定された積載位置に移送させて積載するコンテナ積載段階とを含むコンテナの処理方法とした。【特許請求の範囲】
【請求項１】
鉄骨構造体の内部に積載するコンテナが進入すると、このコンテナが積載される位置を指定する積載位置指定段階と、
前記鉄骨構造体の昇降路に沿ってトラベラーでコンテナを前記積載される位置の層に在る積載室まで上昇させるコンテナ上昇段階と、
前記コンテナが前記積載室に達すると、前記コンテナを前記積載室の先端に配置された臨時積載場所に移送させて積載する臨時積載段階と、
前記臨時積載場所に保管されているコンテナを、前記積載室の内部に設置された移送トラベラーを用いてあらかじめ指定された積載位置に移送させて積載するコンテナ積載段階と、
を含むことを特徴とする、タワー式コンテナ積載システムのコンテナ処理方法。
【請求項２】
前記臨時積載段階の後に、前記コンテナの臨時積載が完了すると、前記臨時積載場所のトラベラーを、他のコンテナを移送させるために昇降路に沿ってコンテナの進入する場所に移動させるトラベラー移動段階をさらに含むことを特徴とする、請求項１に記載のタワー式コンテナ積載システムのコンテナ処理方法。
【請求項３】
前記積載位置指定段階の後に、前記積載室の内部でコンテナを移送する移送トラベラーの故障有無を確認する故障有無確認段階をさらに含むことを特徴とする、請求項１に記載のタワー式コンテナ積載システムのコンテナ処理方法。
【請求項４】
搬出するコンテナが指定されると、鉄骨構造体の内部で搬出するコンテナの位置を確認する搬出位置確認段階と、
前記搬出するコンテナの積載された積載室の内部に設置された移送トラベラーを用いて、前記コンテナを、前記積載室の先端に位置している臨時積載場所に移送させて積載する臨時積載段階と、
前記臨時積載場所に積載されたコンテナを、トラベラーを用いて鉄骨構造体の昇降路に沿って搬出位置に下降させるコンテナ下降段階と、
前記コンテナが鉄骨構造体の昇降路下端に在る搬出される位置に達すると、前記コンテナを鉄骨構造体の外部に搬出させるコンテナ搬出段階と、
を含むことを特徴とする、タワー式コンテナ積載システムのコンテナ処理方法。
【請求項５】
前記臨時積載段階の前に、移送トラベラーを制御することによって、搬出するコンテナの移送が円滑となるようにその周辺の他のコンテナを整理する臨時積載準備段階をさらに含むことを特徴とする、請求項４に記載のタワー式コンテナ積載システムのコンテナ処理方法。
【請求項６】
前記搬出位置確認段階の後に、搬出されるコンテナの積載された積載室の内部でコンテナを移送する移送トラベラーの故障有無を確認する故障有無確認段階をさらに含むことを特徴とする、請求項４に記載のタワー式コンテナ積載システムのコンテナ処理方法。
【請求項７】
タワー式コンテナの積載システムにおいて、
昇降路下端のレールに沿って移動する台車が、コンテナの積載及び搬出のために同時に昇降する二つのケージにコンテナを運搬し、前記二つのケージ以外の残りのケージへのコンテナの運搬は、鉄骨構造体の積載室の最下層に備えられ、前記台車の一側に平行に補助レールに沿って走行する補助台車によって行われ、
前記補助台車と前記残りのケージ間のコンテナ運搬は、前記補助台車が待機する積載室の最下層に設置された補助水平レールに沿って前記残りのケージのトラベラーが横行駆動することによってなる
ことを特徴とする、タワー式コンテナ積載システムのコンテナ処理方法。
【請求項８】
前記残りのケージへのコンテナの運搬は、
前記鉄骨構造体の最下部外側に形成される走行路に設置される外部補助レールに沿って前記台車と平行に走行する外部補助台車によって行われ、
前記外部補助台車と前記残りのケージ間のコンテナ運搬は、前記走行路から昇降路の下端に向いて交差するように設置される外部補助水平レールに沿って前記残りのケージのトラベラーが横行駆動することによってなる
ことを特徴とする、請求項７に記載のタワー式コンテナ積載システムのコンテナ処理方法。
【請求項９】
昇降路の両側に複数の積載室を持つタワー形態の鉄骨構造体が備えられ、前記昇降路の内部で昇降するケージが備えられ、前記ケージから前記積載室の水平レールに沿って水平移動するトラベラーが備えられるタワー式コンテナ積載システムにおいて、
前記積載室の両端に前記トラベラーによって移送されたコンテナが臨時積載される、または、前記積載室の内部から搬出されたコンテナが臨時に積載される臨時積載空間が形成され、
前記臨時積載空間に積載されたコンテナを、前記積載室の指定された位置に移送させる、または、前記積載室の搬出されるコンテナを、前記臨時積載空間に移送させるようにそれぞれの前記積載室に備えられ、前記水平レールに沿って移動する移送トラベラーが設置される
ことを特徴とする、タワー式コンテナ積載システムのコンテナ処理装置。
【請求項１０】
前記積載室は、複数のコンテナが上下に複数層積載されるように上下幅が拡張形成され、
前記移送トラベラーは、
前記水平レールに載置される駆動輪を有し、該駆動輪を駆動させる駆動モーターを有し、前記水平レールに沿って移動する本体と、
前記本体の下方に備えられ、コンテナを着脱させるフックを持つ着脱フレームと、
前記本体と着脱フレームとの間に設置され、前記着脱フレームを上下に移動させる上下移動部と、
を含むことを特徴とする、請求項９に記載のタワー式コンテナ積載システムのコンテナ処理装置。
【請求項１１】
前記上下移動部は、
前記本体の下面両端にそれぞれ上端がヒンジ結合する一対の第１リンクと、
前記第１リンクの下端に上端がヒンジ結合し、下端が前記着脱フレームの上面両端にそれぞれヒンジ結合する一対の第２リンクと、
前記第１リンクの中央部上に下端がヒンジ結合し、上端が前記本体の中央部上にヒンジ結合するように傾斜して設置される一対の油圧シリンダーと、
を備えることを特徴とする、請求項１０に記載のタワー式コンテナ積載システムのコンテナ処理装置。
【請求項１２】
前記上下移動部は、前記第１リンクを水平に連結するようにその中央部上にヒンジ結合し、前記油圧シリンダーの下端がヒンジ結合する一対の支持軸をさらに備えることを特徴とする、請求項１１に記載のタワー式コンテナ積載システムのコンテナ処理装置。
【請求項１３】
前記上下移動部は、前記第１リンクの下端と前記第２リンクの上端がヒンジ結合するように前記第１リンクと第２リンクとのヒンジ結合部位にそれぞれの前記第１リンク及び第２リンクを水平に連結するヒンジ軸をさらに備えることを特徴とする、請求項１１に記載のタワー式コンテナ積載システムのコンテナ処理装置。
【請求項１４】
前記水平レールの下部にコンテナの上下積載個数に合わせて前記トラベラーが移動するように前記積載室に設置される複数の補助レールをさらに備えることを特徴とする、請求項１０に記載のタワー式コンテナ積載システムのコンテナ処理装置。
【請求項１５】
昇降路の両側に複数の積載室を持つタワー形態の鉄骨構造体が備えられ、前記昇降路の内部に昇降するケージが備えられ、前記ケージから前記積載室の水平レールに沿って水平移動するトラベラーが備えられ、前記昇降路の下端にはレールに沿って走行しながらコンテナを運搬する台車が備えられ、前記台車にコンテナを積んだり降ろしたりするように前記鉄骨構造体の外部にローダーが設置されるタワー式コンテナ積載システムにおいて、
前記鉄骨構造体の最下層に、前記レールの一側に平行に補助レールが設置され、前記補助レールに沿って走行しながらコンテナを運搬する補助台車が備えられ、前記トラベラーが前記補助レールの上部で横行駆動可能なように前記鉄骨構造体の最下層に補助水平レールが設置されることを特徴とする、タワー式コンテナ積載システムのコンテナ処理装置。
【請求項１６】
前記鉄骨構造体の外側に前記レールと平行に走行路が備えられ、前記走行路の内側下部に前記レールと平行に外部補助レールが設置され、前記外部補助レールに沿って走行しながらコンテナを運搬する外部補助台車が備えられ、前記トラベラーが前記外部補助レールの上部で走行可能なように前記鉄骨構造体の最下部外側から前記走行路の内側まで外部補助水平レールが設置されることを特徴とする、請求項１５に記載のタワー式コンテナ積載システムのコンテナ処理装置。
【請求項１７】
前記ローダーは、
横行駆動部によってレールに沿って移動するローダー本体と、
前記ローダー本体の下部に備えられ、ホールディング装置を持つスプレッダーと、
前記スプレッダーを動力によって上下に移動させる昇降駆動部と、
前記スプレッダーを動力によって前記ローダー本体と直角をなす水平方向に移動させる水平移送部と、
前記スプレッダーを前記水平移送部に固定しながらツイスト可能にする位置調節部と、
で構成されることを特徴とする、請求項１５に記載のタワー式コンテナ積載システムのコンテナ処理装置。
【請求項１８】
前記昇降駆動部は、
前記ローダー本体の両側下部に相対向して備えられ、横方向の支持ビームによって相互に連結される一対のガイドビームと、
前記ガイドビームに設置される支持ビームにロッドが連結される昇降シリンダーが垂直方向に設置され、前記昇降シリンダーによってガイドビームに沿って昇降駆動され、ワイヤロープによって下部側のスプレッダーと連結される昇降フレームと、
で構成されることを特徴とする、請求項１７に記載のタワー式コンテナ積載システムのコンテナ処理装置。
【請求項１９】
前記水平移送部は、
前記昇降フレームの上部両側に前記昇降フレームと直角をなす方向に備えられ、連結フレームによって相互に連結される一対の稼動フレームと、
前記稼動フレームに一端が固定され、他端は前記昇降フレームに固定される作動シリンダーと、
で構成されることを特徴とする、請求項１８に記載のタワー式コンテナ積載システムのコンテナ処理装置。
【請求項２０】
前記位置調節部は、
前記連結フレームの下部両側に垂直方向に相対向して一体に形成され、水平の支持枠によって支持される一対の垂直ビームと、
前記垂直ビームの間に備えられ、両端に前記垂直ビームと転がり接触をするローラが装着されるロッドに沿って移動するチューブシリンダーと、
前記チューブシリンダーを前記スプレッダーに回転可能に固定する回転装置と、
で構成されることを特徴とする、請求項１９に記載のタワー式コンテナ積載システムのコンテナ処理装置。
【請求項２１】
前記回転装置は、
前記チューブシリンダーの下部側に一体に形成される垂直の回転軸と、
前記回転軸を前記スプレッダーに回転可能に支持させるベアリングと、
で構成されることを特徴とする、請求項２０に記載のタワー式コンテナ積載システムのコンテナ処理装置。
【発明の詳細な説明】
【発明の詳細な説明】
【０００１】
〔技術分野〕
本発明は、タワー式コンテナ積載システムのコンテナ処理方法及び装置に係り、より詳細には、コンテナの積載及び搬出を最短時間で合理的に行うことができるタワー式コンテナ積載システムのコンテナ処理方法及び装置に関する。
【０００２】
〔背景技術〕
一般に、コンテナは、貨物を能率的で経済的に輸送するために使用する箱型容器で、様々な長さと高さを持つ多種多様なものがある。なかでも、長さ２０ｆｔまたは４０ｆｔのコンテナが主に使用されている。
【０００３】
このようなコンテナは、コンテナターミナルという特定の場所的施設に積載され、コンテナターミナルは、岸壁に隣接して港に設置され、大量のコンテナを積載した後に船積みをする。
【０００４】
ところが、上記のように大量のコンテナをターミナルに積載するためには非常に広いターミナル敷地を確保しなければないが、その確保は極めて難しく、広い敷地を確保したとしても効率的な積載が不可能な不具合があった。
【０００５】
なお、積載されたコンテナが広い敷地に散在し、これらのコンテナが船舶から遠く離れているため、これらのコンテナの船舶への移送には多くの移送設備と労力がさらに必要とされる。
【０００６】
このような問題点を解消するために、本出願人は、大韓民国特許出願第２００４−１６９７９号（出願日：２００４年３月１２日）で‘タワー式コンテナ積載方法及びシステム’を既出願したことがあり、これを図２３及び図２４を参照して説明すると、次の通りである。
【０００７】
同図において、従来のタワー式コンテナ積載システムは、複数の鉄骨構造体１００ａが結合して鉄骨積載設備を構成し、この鉄骨構造体１００ａの内部に形成される垂直の昇降路１００ｂの両側にそれぞれ複数の積載室１００ｃが備えられ、鉄骨構造体１００ａの内部でそれぞれ昇降するケージ２００ａが備えられ、このケージ２００ａから積載室１００ｃに水平移動するトラベラー３００ａが備えられてなる。
【０００８】
そして、上記鉄骨積載設備の両側に外部から移送されてきたコンテナを、鉄骨構造体１００ａの内部に進入させるローダー４００ａが備えられる。
【０００９】
なお、ケージ２００ａは、鉄骨構造体１００ａの上部に設置される滑車（ｓｈｅａｖｅ）とワイヤロープとからなる駆動部によって、昇降路１００ｂに設置された垂直レールに沿って昇降し、ケージ２００ａの内側に配置されるトラベラー３００ａは、トラベラー自体に設置されたモーターの駆動によって積載室１００ｃの内部両側に設置された水平レール１００ｄに沿って水平に移動する。
【００１０】
そして、ローダー４００ａによって鉄骨構造体１００ａの内部に進入したコンテナは、トラベラー３００ａにホールディングされた状態でケージ２００ａによってトラベラー３００ａと共に積載される位置に上昇した後に、トラベラー３００ａが積載される位置に該当する積載室１００ｃの積載位置に水平移動し、そこにコンテナの積載がなされる。これと逆の過程によってコンテナの搬出が行なわれる。
【００１１】
〔発明の開示〕
〔発明が解決しようとする課題〕
しかしながら、上記のような従来技術には、下記の問題点があった。
【００１２】
トラベラーが積載室にコンテナを積載したり、積載室に積載されているコンテナを搬出する間に、ケージは停止した状態に保持されるため、装備の活用性が低下するとともにコンテナの積載及び搬出時間が著しく増加するという問題点があった。
【００１３】
また、積載室の上下幅が低いため、中央部上に積載されているコンテナを搬出する際には、その前方に在るコンテナを他の位置に移送しなければならず、コンテナの積載及び搬出作業の効率が顕著に落ちるという問題点があった。
【００１４】
一方、上記のようなタワー式コンテナ積載システムは、荷役処理容量が順次増加するに伴って昇降路と昇降路間の積載室も幅方向に増えつつあり、その分、荷役処理速度及び効率が低下ししまう。
【００１５】
これについてより具体的に説明すると、通常のタワー式コンテナ積載システムは、最下層に積載室がなく、昇降路にのみ台車が走行可能になっており、ケージは昇降路の側方向に位置した積載室の各セクションに備えられ、実質的にコンテナを運搬するケージのトラベラーは最下層では横行駆動不可能になっている。
【００１６】
したがって、コンテナをケージに移送する台車が一つのみ備えられる昇降路に少なくとも２個以上のケージが備えられる場合、該台車が位置するケージのみが運転され、残りのケージは停止状態に放置されるという問題点があった。
【００１７】
一方、このような従来のタワー式コンテナ積載システムは、ローダーがワイヤロープを巻いたり外したりしてコンテナを昇降させる構造となっているため、外部の自然環境、すなわち、風によってワイヤロープにかかっているコンテナが左右に動くスイング（ｓｗｉｎｇ）現象が発生するという問題点があった。
【００１８】
また、上記の従来のローダーは、コンテナを把持した状態で該コンテナを水平方向に回転させられない構造となっているため、ローダーに対してトレーラが定位置に停車せず、使用上の不便さと面倒さを招くという問題点があった。
【００１９】
本発明は上記の諸問題点を解消するためのもので、その目的は、コンテナの積載及び搬出を最短時間で合理的に行うことにある。
【００２０】
また、本発明の他の目的は、装備の故障有無を確認し、使用可能な装備によってコンテナの積載及び搬出がより合理的で迅速に行われるようにすることにある。
【００２１】
また、本発明のさらに他の目的は、積載室を拡張して積載効率を増進させながら装備の活用度を向上させることにある。
【００２２】
また、本発明のさらに他の目的は、簡単な構造で積載室の内部でコンテナの上下移動が円滑に行われるようにすることにある。
【００２３】
また、本発明のさらに他の目的は、停止した状態に放置されるケージが円滑に運転されるようにすることにある。
【００２４】
また、本発明のさらに他の目的は、ローダーが風に揺れないようにしながら該ローダーの上下及び左右移動とツイスト運動を可能にすることにある。
【００２５】
〔課題を解決するための手段〕
上記の目的を達成するために、本発明の好ましい実施例によるタワー式コンテナ積載システムのコンテナ処理方法は、鉄骨構造体の内部に積載するコンテナが進入すると、このコンテナが積載される位置を指定する積載位置指定段階と、前記鉄骨構造体の昇降路に沿ってトラベラーでコンテナを前記積載される位置の層に在る積載室まで上昇させるコンテナ上昇段階と、前記コンテナが前記積載室に達すると、前記コンテナを前記積載室の先端に配置された臨時積載場所に移送させて積載する臨時積載段階と、前記臨時積載場所に保管されているコンテナを、前記積載室の内部に設置された移送トラベラーを用いてあらかじめ指定された積載位置に移送させて積載するコンテナ積載段階と、
を含む構成とした。
【００２６】
また、前記臨時積載段階の後に、前記コンテナの臨時積載が完了すると、前記臨時積載場所のトラベラーを、他のコンテナを移送させるために昇降路に沿ってコンテナの進入する場所に移動させるトラベラー移動段階をさらに含むことができる。
【００２７】
また、前記積載位置指定段階の後に、前記積載室の内部でコンテナを移送する移送トラベラーの故障有無を確認する故障有無確認段階をさらに含むことができる。
【００２８】
上記の目的を達成するために、本発明の好適な実施例によるタワー式コンテナ積載システムのコンテナ処理方法は、搬出するコンテナが指定されると、鉄骨構造体の内部で搬出するコンテナの位置を確認する搬出位置確認段階と、前記搬出するコンテナの積載された積載室の内部に設置された移送トラベラーを用いて、前記コンテナを、前記積載室の先端に位置している臨時積載場所に移送させて積載する臨時積載段階と、前記臨時積載場所に積載されたコンテナを、トラベラーを用いて鉄骨構造体の昇降路に沿って搬出位置に下降させるコンテナ下降段階と、前記コンテナが鉄骨構造体の昇降路下端に在る搬出される位置に達すると、前記コンテナを鉄骨構造体の外部に搬出させるコンテナ搬出段階と、を含む構成とした。
【００２９】
また、前記臨時積載段階の前に、移送トラベラーを制御することによって、搬出するコンテナの移送が円滑となるようにその周辺の他のコンテナを整理する臨時積載準備段階をさらに含むことができる。
【００３０】
また、前記搬出位置確認段階の後に、搬出されるコンテナの積載された積載室の内部でコンテナを移送する移送トラベラーの故障有無を確認する故障有無確認段階をさらに含むことができる。
【００３１】
上記の目的を達成するために、本発明の好適な実施例によるタワー式コンテナ積載システムのコンテナ処理方法は、タワー式コンテナの積載システムにおいて、昇降路下端のレールに沿って移動する台車が、コンテナの積載及び搬出のために同時に昇降する二つのケージにコンテナを運搬し、前記二つのケージ以外の残りのケージへのコンテナの運搬は、鉄骨構造体の積載室の最下層に備えられ、前記台車の一側に平行に補助レールに沿って走行する補助台車によって行われ；前記補助台車と前記残りのケージ間のコンテナ運搬は、前記補助台車が待機する積載室の最下層に設置された補助水平レールに沿って前記残りのケージのトラベラーが横行駆動することによってなる構成とした。
【００３２】
また、前記残りのケージへのコンテナの運搬は、前記鉄骨構造体の最下部外側に形成される走行路に設置される外部補助レールに沿って前記台車と平行に走行する外部補助台車によって行われ；前記外部補助台車と前記残りのケージ間のコンテナ運搬は、前記走行路から昇降路の下端に向いて交差するように設置される外部補助水平レールに沿って前記残りのケージのトラベラーが横行駆動することによってなることができる。
【００３３】
上記の目的を達成するために、本発明の好適な実施例によるタワー式コンテナ積載システムのコンテナ処理装置は、昇降路の両側に複数の積載室を持つタワー形態の鉄骨構造体が備えられ、前記昇降路の内部で昇降するケージが備えられ、前記ケージから前記積載室の水平レールに沿って水平移動するトラベラーが備えられるタワー式コンテナ積載システムにおいて、前記積載室の両端に前記トラベラーによって移送されたコンテナが臨時積載される、または、前記積載室の内部から搬出されたコンテナが臨時に積載される臨時積載空間が形成され；前記臨時積載空間に積載されたコンテナを、前記積載室の指定された位置に移送させる、または、前記積載室の搬出されるコンテナを、前記臨時積載空間に移送させるようにそれぞれの前記積載室に備えられ、前記水平レールに沿って移動する移送トラベラーが設置される構成とした。
【００３４】
また、前記積載室は、複数のコンテナが上下に複数層積載されるように上下幅が拡張形成され；前記移送トラベラーは、前記水平レールに載置される駆動輪を有し、該駆動輪を駆動させる駆動モーターを有し、前記水平レールに沿って移動する本体と、前記本体の下方に備えられ、コンテナを着脱させるフックを持つ着脱フレームと、前記本体と着脱フレームとの間に設置され、前記着脱フレームを上下に移動させる上下移動部と、
を含むことができる。
【００３５】
また、前記上下移動部は、前記本体の下面両端にそれぞれ上端がヒンジ結合する一対の第１リンクと、前記第１リンクの下端に上端がヒンジ結合し、下端が前記着脱フレームの上面両端にそれぞれヒンジ結合する一対の第２リンクと、前記第１リンクの中央部上に下端がヒンジ結合し、上端が前記本体の中央部上にヒンジ結合するように傾斜して設置される一対の油圧シリンダーと、を備えることができる。
【００３６】
また、前記上下移動部は、前記第１リンクを水平に連結するようにその中央部上にヒンジ結合し、前記油圧シリンダーの下端がヒンジ結合する一対の支持軸をさらに備えることができる。
【００３７】
また、前記上下移動部は、前記第１リンクの下端と前記第２リンクの上端がヒンジ結合するように前記第１リンクと第２リンクとのヒンジ結合部位にそれぞれの前記第１リンク及び第２リンクを水平に連結するヒンジ軸をさらに備えることができる。
【００３８】
また、上記コンテナ処理装置は、前記水平レールの下部にコンテナの上下積載個数に合わせて前記トラベラーが移動するように前記積載室に設置される複数の補助レールをさらに備えることができる。
【００３９】
上記の目的を達成するために、本発明の好適な実施例によるタワー式コンテナ積載システムのコンテナ処理装置は、昇降路の両側に複数の積載室を持つタワー形態の鉄骨構造体が備えられ、前記昇降路の内部に昇降するケージが備えられ、前記ケージから前記積載室の水平レールに沿って水平移動するトラベラーが備えられ、前記昇降路の下端にはレールに沿って走行しながらコンテナを運搬する台車が備えられ、前記台車にコンテナを積んだり降ろしたりするように前記鉄骨構造体の外部にローダーが設置されるタワー式コンテナ積載システムにおいて、前記鉄骨構造体の最下層に、前記レールの一側に平行に補助レールが設置され、前記補助レールに沿って走行しながらコンテナを運搬する補助台車が備えられ、前記トラベラーが前記補助レールの上部で横行駆動可能なように前記鉄骨構造体の最下層に補助水平レールが設置される構成とした。
【００４０】
また、前記鉄骨構造体の外側に前記レールと平行に走行路が備えられ、前記走行路の内側下部に前記レールと平行に外部補助レールが設置され、前記外部補助レールに沿って走行しながらコンテナを運搬する外部補助台車が備えられ、前記トラベラーが前記外部補助レールの上部で走行可能なように前記鉄骨構造体の最下部外側から前記走行路の内側まで外部補助水平レールが設置されることができる。
【００４１】
また、前記ローダーは、横行駆動部によってレールに沿って移動するローダー本体と、前記ローダー本体の下部に備えられ、ホールディング装置を持つスプレッダーと、前記スプレッダーを動力によって上下に移動させる昇降駆動部と、前記スプレッダーを動力によって前記ローダー本体と直角をなす水平方向に移動させる水平移送部と、前記スプレッダーを前記水平移送部に固定しながらツイスト可能にする位置調節部と、で構成されることができる。
【００４２】
前記昇降駆動部は、前記ローダー本体の両側下部に相対向して備えられ、横方向の支持ビームによって相互に連結される一対のガイドビームと、前記ガイドビームに設置される支持ビームにロッドが連結される昇降シリンダーが垂直方向に設置され、前記昇降シリンダーによってガイドビームに沿って昇降駆動され、ワイヤロープによって下部側のスプレッダーと連結される昇降フレームと、で構成されることができる。
【００４３】
前記水平移送部は、前記昇降フレームの上部両側に前記昇降フレームと直角をなす方向に備えられ、連結フレームによって相互に連結される一対の稼動フレームと、前記稼動フレームに一端が固定され、他端は前記昇降フレームに固定される作動シリンダーと、
で構成されることができる。
【００４４】
前記位置調節部は、前記連結フレームの下部両側に垂直方向に相対向して一体に形成され、水平の支持枠によって支持される一対の垂直ビームと、前記垂直ビームの間に備えられ、両端に前記垂直ビームと転がり接触をするローラが装着されるロッドに沿って移動するチューブシリンダーと、前記チューブシリンダーを前記スプレッダーに回転可能に固定する回転装置と、で構成されることができる。
【００４５】
前記回転装置は、前記チューブシリンダーの下部側に一体に形成される垂直の回転軸と、前記回転軸を前記スプレッダーに回転可能に支持させるベアリングと、で構成されることができる。
【００４６】
〔図面の簡単な説明〕
〔図１〕本発明の好適な一実施例によるコンテナ処理方法を示すフローチャートである。
【００４７】
〔図２〕本発明の好適な他の実施例によるコンテナ処理方法を示すフローチャートである。
【００４８】
〔図３〕本発明の第１実施例によるコンテナ処理装置の概略的な全体構成を示す正断面図である。
【００４９】
〔図４〕本発明の第１実施例によるコンテナ処理装置の要部を示す正断面図である。
【００５０】
〔図５〕図４の拡大図である。
【００５１】
〔図６乃至図８〕本発明の第１実施例における移送トラベラーの作動状態を示す要部の側断面図である。
【００５２】
〔図９〕本発明の第２実施例によるタワー式コンテナ積載システムを示す正面図である。
【００５３】
〔図１０〕図９の平面図である。
【００５４】
〔図１１〕図９におけるトラベラーの作動状態を示す拡大図である。
【００５５】
〔図１２〕本発明の第３実施例によるコンテナ処理装置の要部を示す正断面図である。
【００５６】
〔図１３〕本発明の第３実施例に適用される台車を示す斜視図である。
【００５７】
〔図１４〕本発明の第４実施例によるコンテナ処理装置の要部を示す斜視図である。
【００５８】
〔図１５〕図１４におけるローダー本体を示す分解斜視図である。
【００５９】
〔図１６〕図１４における昇降フレームを示す斜視図である。
【００６０】
〔図１７〕図１４におけるスプレッダーを示す斜視図である。
【００６１】
〔図１８〕本発明の第４実施例によるコンテナ処理装置の組立状態を示す側面図である。
【００６２】
〔図１９〕本発明の第４実施例における位置調節部を示す平面図である。
【００６３】
〔図２０〕本発明の第４実施例における位置調節部を示す正面図である。
【００６４】
〔図２１及び図２２〕本発明の第４実施例におけるスプレッダーの作動状態を示す平面図である。
【００６５】
〔図２３〕従来のタワー式コンテナ積載システムの概略的な全体構成を示す正断面図である。
【００６６】
〔図２４〕図２３の要部拡大図である。
【００６７】
〔発明を実施するための最良の形態〕
以下、添付の図面を参照しつつ、本発明の好適な実施例について詳細に説明する。
【００６８】
図１は、本発明の好適な一実施例によるコンテナ処理方法を示すフローチャートである。
【００６９】
同図において、コンテナの処理方法は、コンテナの積載される位置を指定する積載位置指定段階（Ｓ１０）と、該指定された積載位置にコンテナを上昇させるコンテナ上昇段階（Ｓ２０）と、該コンテナを、積載される層の積載室先端に臨時積載する臨時積載段階（Ｓ３０）と、該臨時積載されたコンテナを、あらかじめ指定された積載位置に移送させて積載するコンテナ積載段階（Ｓ４０）とを含む。
【００７０】
ここで、積載位置指定段階（Ｓ１０）は、鉄骨構造体の内部に積載するコンテナが進入すると、このコンテナの積載される位置を指定する段階で、コンテナ処理装置に設けられた制御ユニットによって鉄骨構造体の内部において空いている箇所を探し、そこをコンテナの積載される位置と指定する。
【００７１】
また、上記コンテナ上昇段階（Ｓ２０）は、指定された積載位置にコンテナを移送させるために鉄骨構造体の昇降路に沿ってトラベラーでコンテナを当該積載される位置の層まで上昇させる段階で、鉄骨構造体の下端に進入したコンテナを、トラベラーでホールディングした状態で指定された積載位置の積載室の層までケージによって上昇させる。
【００７２】
また、上記臨時積載段階（Ｓ３０）は、コンテナが積載される層に位置すると、該コンテナを積載される層の積載室先端に位置している臨時積載場所に移送させて積載する段階で、コンテナをホールディングしているトラベラーを積載位置に直接移動させず、ホールディングしているコンテナを常に空いている臨時積載場所に積載する。
【００７３】
このように、コンテナを臨時積載すると、当該コンテナを降ろしたトラベラーは他の仕事ができ、トラベラーの活用度が増大する。
【００７４】
また、上記コンテナ積載段階（Ｓ４０）は、臨時積載場所に保管されているコンテナを、積載室の内部に設置された移送トラベラーにてあらかじめ指定された積載位置に移送させて積載する段階で、積載室の内部に常設されている移送トラベラーにて臨時積載場所に積載されているコンテナをあらかじめ指定された積載位置に移送させて積載する。
【００７５】
このように、コンテナを臨時積載すると、コンテナの上昇と積載室内部への積載のための移送が分離されるため、昇降路に沿って上下に移動するケージ及びトラベラーをより円滑に使用することができ、かつ、積載位置へのコンテナの移送がより簡便に行われる。
【００７６】
また、上記臨時積載段階（Ｓ３０）の後に、コンテナの臨時積載を完了したトラベラーを、他のコンテナを移送するために昇降路に沿ってコンテナの進入される場所に移動させるトラベラー移動段階（Ｓ３１）をさらに含む。
【００７７】
このトラベラー移動段階（Ｓ３１）は、臨時積載を完了したトラベラーを、直ちに鉄骨構造体の下端に設置されたコンテナ進入場所に移動させることによって、トラベラーの使用効率を顕著に向上させることができ、多量のコンテナがより迅速に積載されるようにする。
【００７８】
また、上記積載位置指定段階（Ｓ１０）の後に、積載室の内部でコンテナを移送させる移送トラベラーの故障有無を確認する故障有無確認段階（Ｓ１１）をさらに含む。
【００７９】
この故障有無確認段階（Ｓ１１）は、積載室の移送トラベラーの故障有無を確認することによって、より安定的且つ正確にコンテナの積載が行われるようにする。
【００８０】
言い換えると、積載室の移送トラベラーの故障が確認されると、トラベラーにホールディングされたコンテナを臨時積載場所に積載せず、そのまま積載位置に直接移送させて積載することによって、コンテナがより正確に積載されるようにする。
【００８１】
図２は、本発明の好適な他の実施例によるコンテナ処理方法を示すフローチャートである。
【００８２】
同図において、コンテナの処理方法は、搬出されるコンテナの位置を確認する搬出位置確認段階（Ｓ１００）と、積載室に積載されているコンテナを搬出するために臨時積載場所に移送させて積載する臨時積載段階（Ｓ２００）と、臨時積載されたコンテナをトラベラーで下降させるコンテナ下降段階（Ｓ３００）と、下降されたコンテナを鉄骨構造体の外部に搬出するコンテナ搬出段階（Ｓ４００）と、を含む。
【００８３】
上記搬出位置確認段階（Ｓ１００）は、搬出するコンテナが指定されると、鉄骨構造体の内部で搬出するコンテナの位置を確認する段階で、作業者が搬出するコンテナを選定すると、制御部が当該コンテナの積載されている位置を探し、搬出されるコンテナの位置を確認する。
【００８４】
また、上記臨時積載段階（Ｓ２００）は、搬出するコンテナを、積載室の内部に設置された移送トラベラーにて、積載室の先端に位置している臨時積載場所に移送させて積載する段階で、積載されているコンテナを移送トラベラーでホールディングしたのち、積載室の先端に位置している臨時積載場所に移送させ、そこに臨時積載しておく。
【００８５】
また、上記コンテナ下降段階（Ｓ３００）は、臨時積載場所に積載されているコンテナを、トラベラーにて鉄骨構造体の昇降路に沿って搬出位置に下降させる段階で、臨時積載場所に積載されている搬出するコンテナを、ケージの内部に備えられたトラベラーにてホールディングし、昇降路に沿って鉄骨構造体の下端に位置した搬出場所に移送させる。
【００８６】
また、上記コンテナ搬出段階（Ｓ４００）は、コンテナが鉄骨構造体の昇降路下端に在る搬出される位置に達すると、該コンテナを鉄骨構造体の外部に搬出する段階で、昇降路の下端に在る搬出位置に到達したコンテナを台車及びトレーラなどを用いて外部に搬出する。
【００８７】
また、上記臨時積載段階（Ｓ２００）の前に、移送トラベラーを制御して搬出するコンテナの移送が円滑になるようにその周辺の他のコンテナを整理する臨時積載準備段階（Ｓ１０２）をさらに含む。
【００８８】
この臨時積載準備段階（Ｓ１０２）は、搬出されるコンテナが他のコンテナによって直ちに移送し難い場合に、周辺の他のコンテナを整理、すなわち、再配置し、当該搬出するコンテナの移送が円滑になるようにする段階である。
【００８９】
また、上記搬出位置確認段階（Ｓ１００）の後に、搬出するコンテナを積載室の内部で移送させる移送トラベラーの故障有無を確認する故障有無確認段階（Ｓ１０１）をさらに含む。
【００９０】
この故障有無確認段階（Ｓ１０１）は、コンテナが搬出される層の移送トラベラーの故障有無を確認することによって、より安定的且つ正確にコンテナの搬出が行われるようにする。
【００９１】
言い換えると、積載室の移送トラベラーが故障されたと確認されると、移送トラベラーを使用して臨時積載場所に積載せず、直接トラベラーを用いて搬出するコンテナをホールディングしたのち直ちに昇降路に沿って搬出位置に移送させる。
【００９２】
図３は、本発明の第１実施例によるコンテナ処理装置の概略的な全体構成を示す正断面図である。
【００９３】
図３に示すように、コンテナ処理装置は、昇降路１１の両側に複数の積載室１２を持つ鉄骨構造体１０と、昇降路１１に沿って上下に移動し、内側にトラベラー２１を持つケージ２０と、それぞれの積載室１２に設置される移送トラベラー３０とを備える。
【００９４】
鉄骨構造体１０は、その内部に垂直に複数の昇降路１１が形成され、これらの昇降路１１の両側に水平に連通した複数の積載室１２が形成され、これらの積載室１２の内部に水平レール１３が設置される。
【００９５】
積載室１２は、複数のコンテナが上下に積層して積載される空間である。また、水平レール１３は、トラベラー２１が積載室１２の内部に沿って移動する移動路でもあり、積載室１２の内部に常設された移送トラベラー３０が移動する移動路でもある。
【００９６】
また、ケージ２０は、昇降路１１に沿って昇降し、その内側には水平移動可能にトラベラー２１が配置される。そして、トラベラー２１は、ケージ２０の内部に載置され、水平レール１３に沿って積載室１２の内部に移動できるように構成される。
【００９７】
このように構成されたコンテナの処理装置は、昇降路１１の下端にコンテナが進入すると、この進入したコンテナをトラベラー２１がホールディングした状態でケージ２０が昇降路１１に沿って積載位置まで上昇したのち、トラベラー２１が水平レール１３に沿って移動してホールディングしていたコンテナを積載室１２の先端に臨時積載する。
【００９８】
このように臨時積載されたコンテナは、積載室１２の内部に常設された移送トラベラー３０によってホールディングされたのち、あらかじめ指定された積載位置に水平レール１３に沿って移送して積載される。
【００９９】
逆に、コンテナを搬出する時は、搬出位置に在る移送トラベラー３０が搬出するコンテナを積載室１２の先端に移送させて臨時積載し、この臨時積載されたコンテナをケージ２０のトラベラー２１がホールディングしたのちケージ２０と共に昇降路１１の下端に下降してコンテナを搬出する。
【０１００】
図４は、本発明の第１実施例によるコンテナ処理装置の要部を示す正断面図であり、図５は、図４の拡大図である。
【０１０１】
図４に示すように、コンテナの処理装置は、昇降路１１の両側に複数の積載室１２を持つ鉄骨構造体１０と、昇降路１１に沿って上下に移動し、内側にトラベラー２１を持つケージ２０と、それぞれの積載室１２に設置される移送トラベラー３０と、を備える。
【０１０２】
鉄骨構造体１０は、内部に垂直に複数の昇降路１１が形成され、昇降路１１の両側に水平に連通した複数の積載室１２が形成され、積載室１２の内部に水平レール１３が設置され、積載室１２の両端に臨時積載空間１４が形成され、水平レール１３の下部に複数の補助レール１５が設置されてなる。
【０１０３】
積載室１２は、複数のコンテナが上下に積層して積載されるようにその上下幅が拡張され、積層されるコンテナの個数に合わせて水平レール１３の下部に補助レール１５が設置される。
【０１０４】
このように設置される補助レール１５は、移送トラベラー３０が故障した場合に、ケージ２０のトラベラー２１が補助レール１５に沿って積載室１２の内部に直接移動しながらコンテナを積載または搬出するようにする機能を担う。
【０１０５】
そして、臨時積載空間１４は、積載室１２の両端に空間として形成され、コンテナを積載したり積載されているコンテナを搬出する場合に、トラベラー２１及び移送トラベラー３０によって移送されるコンテナを臨時保管する機能を担う。
【０１０６】
このように臨時積載空間１４によって積載または搬出されるコンテナが臨時保管されることによって、昇降路１１に沿ったケージ２０によるコンテナの上下移動と移送トラベラー３０によるコンテナの水平移動とが相互に分離され、ケージ２０と移送トラベラー３０がそれぞれ独立して作動できるため、装備の活用度が増大し、かつ、コンテナの積載及び搬出の速度が向上する。
【０１０７】
言い換えると、ケージ２０によるコンテナの運搬中に移送トラベラー３０は他の仕事ができ、同様に、移送トラベラー３０の作動中にもケージ２０は他の仕事ができ、結果として装備の活用度が増大する。
【０１０８】
また、移送トラベラー３０は、水平レール１３に載置される駆動輪を有し、該駆動輪を駆動させる駆動モーターを有し、水平レール１３に沿って移動する本体３１と、本体３１の下方に備えられ、コンテナを着脱させるフック３２１を持つ着脱フレーム３２と、本体３１と着脱フレーム３２との間に設置され、着脱フレーム３２を上下に移動させる上下移動部３３と、を備える。
【０１０９】
着脱フレーム３２は、フック３２１によってコンテナをホールディングまたはホールディング解除する。
【０１１０】
上下移動部３３は、本体３１の下面両端にそれぞれ上端がヒンジ結合する一対の第１リンク３３１と、第１リンク３３１の下端に上端がヒンジ結合し、下端が着脱フレーム３２の上面両端にそれぞれヒンジ結合する一対の第２リンク３３２と、第１リンク３３１の中央部上に下端がヒンジ結合し、上端が本体３１の中央部上にヒンジ結合するように傾斜して設置される一対の油圧シリンダー３３３と、を備える。
【０１１１】
上下移動部３３は、本体３１の下部で着脱フレーム３２を上下に移動させ、複数のコンテナが積載室１２の内部に容易に積層状態に積載されるようにする。
【０１１２】
そして、上下移動部３３は、第１リンク３３１を水平に連結するように第１リンク３３１の中央部上にヒンジ結合し、油圧シリンダー３３３の下端がヒンジ結合する一対の支持軸３３４と、第１リンク３３１の下端と第２リンク３３２の上端がヒンジ結合するように第１リンク３３１と第２リンク３３２とのヒンジ結合部位にそれぞれの第１リンク３３１及び第２リンク３３２を水平に連結するヒンジ軸３３５とをさらに備える。
【０１１３】
支持軸３３４とヒンジ軸３３５は、第１リンク３３１と第２リンク３３２を支持すると同時に回転可能な状態に強固に結合させる役割を果たす。
【０１１４】
図６乃至図８は、本発明の第１実施例における移送トラベラーの作動状態を示す要部の側断面図である。
【０１１５】
同図において、本体３１は、駆動モーター３１２の駆動によって駆動輪３１１が回転しながら積載室１２の内部で水平レール１３に沿って移動する。
【０１１６】
そして、本体３１と第１リンク３３１との間にヒンジ結合した油圧シリンダー３３３の作動に応じて、第１リンク３３１とこれにヒンジ結合した第２リンク３３２が本体３１の下面に向いて折り畳まれるか展開しながら、第２リンク３３２の下端にヒンジ結合した着脱フレーム３２が上下に移動する。
【０１１７】
すなわち、油圧シリンダー３３３の作動によって第１リンク３３１と第２リンク３３２が折り畳まれながら、コンテナＣをホールディングしている着脱フレーム３２が本体３１の下面に向いて移動し、コンテナＣは上昇する。
【０１１８】
逆に、油圧シリンダー３３３の作動によって第１リンク３３１と第２リンク３３２が展開しながら、コンテナＣをホールディングしている着脱フレーム３２が本体３１の下面からより下方に移動し、コンテナＣは下降する。
【０１１９】
このように油圧シリンダー３３３によって第１リンク３３１と第２リンク３３２が折り畳みまたは展開することによって、積載室１２の内部に複数のコンテナＣを積層するか、積層されているコンテナＣを搬出可能になるわけである。
【０１２０】
図９は、本発明の第２実施例によるタワー式コンテナ積載システムを示す正面図であり、図１０は、図９の平面図であり、図１１は、図９におけるトラベラーの作動状態を示す拡大図である。
【０１２１】
同図において、タワー式コンテナ積載システムは、通常の場合と同様に、複数の積載室１ｂを持つ鉄骨構造体１を備え、積載室１ｂの間には垂直方向に昇降路２が形成され、昇降路２の内側にはケージ３が動力によって昇降路２に沿って上下に移動可能に構成され、ケージ３の内側には、積載室１ｂに設置された水平レール１ｃに沿って自体走行するトラベラー４が備えられる。
【０１２２】
また、ケージ３は、積載室１ｂの水平レール１ｃと対応する相対水平レール３ａを有し、トラベラー４は、コンテナＣの上面各縁部に形成された長穴に挿入されて係止されるホールディング装置（図示せず）が備えられ、該ホールディング装置によってコンテナＣをトラベラー４に固定できるように構成されている。
【０１２３】
また、昇降路２の両側には、トレーラに載せられたコンテナを、該昇降路２に沿って走行する台車５の上に積んだり降ろしたりするローダー６が備えられ、ローダー６は、トラベラー４と同様に、モーターの駆動によって駆動される複数の輪によって昇降路２と直交する案内レールに沿って自体走行しながら移動するように構成されている。
【０１２４】
このようなタワー式コンテナの積載システムにおけるコンテナ処理方法は、昇降路２上の台車５が積載のために上昇するケージ３と搬出のために下降するケージ３両方を担当し、残りのケージ３は、積載室１ｂの最下層において昇降路２と平行に補助レール７ａに沿って走行する補助台車７によって積載または搬出のための運転が行われることを特徴とする。
【０１２５】
そして、ケージ３のトラベラー４は、鉄骨構造体１の最下層に設置された補助水平レール８に沿って横方向に駆動され、補助台車７に積載されたコンテナＣを運搬することを特徴とする。
【０１２６】
すなわち、本実施例のコンテナ処理装置は、昇降路２に沿って走行する台車５とは別個に鉄骨構造体１の最下層に補助レール７ａを設置し、該補助レール７ａに補助台車７を配しこれが昇降路２に平行に最下層を走行するように構成され、これと共に鉄骨構造体１の最下層ごとにケージ３のトラベラー４が横行駆動可能なように補助水平レール８を備える。
【０１２７】
このように構成された処理装置では、トレーラに載せられて外部から進入したコンテナＣが、ローダー６によって昇降路２の台車５上に載せられ、この台車５は昇降路２に沿って走行しながら該当する積載室１ｂの位置している昇降路２の下端で停止した後、昇降路２に設置されたケージ３が下降し、台車５に積載されたコンテナＣをトラベラー４で固定したのち該当の積載室１ｂの位置している層に上昇させる。
【０１２８】
続いて、当該台車５は、再び搬出するコンテナＣを載せるために、下降する他のケージ３の位置に移動して待機し、ケージ３によって搬出のために下降したコンテナＣが上面に積載し終わると、再び昇降路２に沿って走行してローダー６の位置で停止し、このローダー６によってコンテナＣの搬出が行われる。
【０１２９】
また、このように台車５によるコンテナの積載及び搬出が行われている間に、補助台車７もまた、ローダー６によってトレーラからコンテナＣを載せた後、鉄骨構造体１の最下層に設置された補助レール７ａに沿って走行しながら該当の昇降路２、すなわち、積載または搬出のために上昇または下降しない他のケージ３が停止状態にある昇降路２の最下層に停止する。
【０１３０】
これにより、当該ケージ３は最下層に昇降路２に沿って下降し、ケージ３が下降した後には、図１１に示すように、最下層の補助水平レール８に沿ってケージ３のトラベラー４が横方向に駆動して台車５に載せられているコンテナＣを固定する。
【０１３１】
その後、トラベラー４はコンテナＣをホールディングした状態で補助水平レール８に沿って復帰して昇降路２に在るケージ３の内側に移動し、このようなケージ３の上昇または下降によるコンテナの積載または搬出が行われるため、全てのケージ３が停止した状態に放置されず、円滑な運転が可能になる。
【０１３２】
図１２は、本発明の第３実施例によるコンテナ処理装置の要部を示す正断面図である。
【０１３３】
図１２に示すように、本コンテナ処理装置は、鉄骨構造体１の最下層の外側に走行路９をさらに備える。
【０１３４】
この走行路９は、その内側下面に補助レール７ａと平行に外部補助レール９ａが設置され、外部補助レール９ａに沿って走行する外部補助台車９ｂが備えられる。
【０１３５】
なお、走行路９と昇降路２との間には外部補助水平レール９ｃが設置され、該外部補助水平レール９ｃは、昇降路２に備えられるケージ３のトラベラー４が横方向に移動して走行路９の上部に位置できるように構成されている。
【０１３６】
したがって、トラベラー４は、走行路９の外部補助レール９ａに位置している外部補助台車９ｂ上に積載されたコンテナＣを持ち上げて昇降路２側に移した後、ケージ３によって積載室１ｂに移動されるようにする、または、再びケージ３によって積載室１ｂから下降したコンテナＣを外部補助台車９ｂに移動させる荷役作業を可能にする。
【０１３７】
これにより、外部補助台車９ａは、台車５及び補助台車７と同様に、ケージ３のトラベラー４にコンテナＣを積載及び搬出でき、よって、ケージ３０の停滞が防止され、持続的な運転が可能になる。
【０１３８】
図１３は、本発明の第３実施例に適用される台車を示す図で、同図において、台車５は、輪５ｂ付きフレーム５ａの略中間部分の両側に一対の支持ビーム５ｃを設け、フレーム５ａの長さに相応するコンテナ（略４０ｆｔ）と支持ビーム５ｃ間の面積に相応するコンテナ（略２０ｆｔ）を並用できる構成とした。このような構成は補助台車及び外部補助台車にも同様に適用されることができる。同図で、未説明符号５ｄは、輪５ｂを駆動させる駆動モーターである。
【０１３９】
図１４は、本発明の第４実施例によるコンテナ処理装置の要部を示す斜視図である。
【０１４０】
図１４に示すように、本コンテナ処理装置は、両側の横行駆動部１００ａによってレールに沿って移動するローダー本体１００が備えられ、ローダー本体１００の下部にはホールディング装置２００ｂを含むスプレッダー２００が備えられる。
【０１４１】
また、スプレッダー２００を動力によって上下に移動させる昇降駆動部３００と、スプレッダー２００を動力によってローダー本体１００と直角をなす水平方向に移動させる水平移送部４００が備えられ、スプレッダー２００を水平移送部４００に固定しながらツイスト可能にする位置調節部５００が共に備えられる。
【０１４２】
昇降駆動部３００は、図１４及び図１５に示すように、相対向するようにローダー本体１００の両側において垂直下方に一対のガイドビーム３０１，３０１ａが備えられ、ガイドビーム３０１，３０１ａの下部は、横方向の支持ビーム３０２によって相互連結される。
【０１４３】
また、ガイドビーム３０１，３０１ａの支持ビーム３０２の内部に、図１４及び図１６に示すように、昇降フレーム３０３が上下に移動可能に備えられ、この昇降フレーム３０３は、ガイドビーム３０１，３０１ａの支持ビーム３０２にロッド３０３ｂが連結される昇降シリンダー３０３ａが垂直方向に設置されてこの昇降シリンダー３０３ａによってガイドビーム３０１，３０１ａに沿って昇降駆動するように構成され、ワイヤロープ３０３ｃによって図１７に示すようなスプレッダー２００が下部側に連結される。
【０１４４】
また、水平移送部４００は、図１４、図１６及び図１８に示すように、昇降フレーム３０３の上部両側に昇降フレーム３０３と直角方向に一対の稼動フレーム４０１，４０１ａが備えられ、この稼動フレーム４０１，４０１ａの間は、連結フレーム４０２によって相互に連結されるように構成され、なお、稼動フレーム４０１，４０１ａは、一端が昇降フレーム３０３に固定され、他端は稼動フレーム４０１，４０１ａに固定された作動シリンダー４０３によって、昇降フレーム３０３の案内レール３０３ｄに沿って水平方向に移動可能に構成される。
【０１４５】
位置調節部５００は、稼動フレーム４０１，４０１ａの間に形成された連結フレーム４０２の下部両側に垂直方向に一対の垂直ビーム５０１，５０１ａを相対向するように一体に形成し、この垂直ビーム５０１，５０１ａの下部は、水平の支持枠５０１ｂによって支持されるように構成されている。
【０１４６】
そして、位置調節部５００の垂直ビーム５０１，５０１ａの間には、図１６、図１７及び図１９に示すように、両端に垂直ビーム５０１，５０１ａと転がり接触をするローラ５０２ｂの装着されたロッド５０２ａに沿って移動するチューブシリンダー５０２が、スプレッダー２００と離間して備えられ、スプレッダー２００は、チューブシリンダー５０２をスプレッダー２００に回転可能に固定する回転装置５０３を備える。
【０１４７】
回転装置５０３は、図２０に示すように、チューブシリンダー５０２の下部側に一体に形成される垂直の回転軸５０３ａと、この回転軸５０３ａをスプレッダー２００に回転可能に支持させるベアリング５０３ｂとで構成される。
【０１４８】
このように構成されたコンテナ処理装置は、図１４に示すように、ローダー本体１００の両側に備えられた横行駆動部１００ａによって案内レール３０３ｄに沿って移動するもので、スプレッダー２００は、昇降駆動部３００を構成する昇降フレーム３０３を上下に昇降駆動させることによって上下移動が可能である。すなわち、ロッド３０３ｂが支持ビーム３０２に固定された昇降シリンダー３０３ａの作動によって昇降フレーム３０３が上下に昇降し、この昇降フレーム３０３の昇降に応じて、昇降フレーム３０３とワイヤロープ３０３ｃを介して連結されているスプレッダー２００も昇降する。
【０１４９】
そして、図１４及び図１６に示すように、スプレッダー２００の水平移動は、ワイヤロープ３０３ｃによってスプレッダー２００と連結された一対の稼動フレーム４０１，４０１ａを、作動シリンダー４０３の稼動によって案内レール３０３ｄに沿って移動させることによってなる。
【０１５０】
なお、スプレッダー２００のツイストは、位置調節部５００を構成するチューブシリンダー５０２の作動によってなされるもので、図２０及び図２１に示すように、一側チューブシリンダー５０２と他側チューブシリンダー５０２が相互に反対方向にロッド５０２ａに沿って移動すると、ロッド５０２ａとローラ５０２ｂを介して接触する一対の垂直ビーム５０１，５０１ａが固定点となり、その直線方向の力がスプレッダー２００側に伝えられる結果、スプレッダー２００は回転装置５０３を中心に一方向（ここでは、反時計回り方向）に回転する。一方、チューブシリンダー５０２が上記の一方向の逆方向に回転すると、図２２に示すように、図２１に示す方向と反対方向に回転する。
【０１５１】
なお、チューブシリンダー５０２の左右側が、垂直ビーム５０１，５０１ａによって固定され、チューブシリンダー５０２はスプレッダー２００の回転装置５０３に回転可能に固定されることによって、スプレッダー２００は動くことなく固定されることができる。
【０１５２】
〔産業上の利用可能性〕
上述の如く、本発明は、コンテナの積載及び搬出が最短時間で合理的に行われるため、コンテナの積載及び搬出時間が著しく短縮され、多量のコンテナが容易に処理でき、かつ、積載及び搬出作業の効率が顕著に向上するという効果を奏する。
【０１５３】
また、本発明は、装備の故障有無を確認し、使用可能な装備を用いてコンテナの積載及び搬出をより合理的で迅速に行うため、積載及び搬出作業の効率がより向上するという効果を奏する。
【０１５４】
また、本発明は、積載室を上下に拡張することによって積載効率を増大させ且つ装備の活用度を向上させ、より効率的な積載及び搬出が可能になり、且つ、積載されたコンテナをより効率的に管理及び取扱できるという効果を奏する。
【０１５５】
また、本発明は、簡単な構造によって積載室の内部でコンテナの上下移動が円滑に行われるようにしたため、製作及び設置の簡易化及び移送作業の効率性向上が図られる。
【０１５６】
また、本発明は、停止状態に放置されるケージが円滑に運転されるようにしたため、荷役処理容量が顕著に増加すると同時に、荷役処理速度及び効率が向上するという効果が得られる。
【０１５７】
また、本発明は、ローダーが風に揺れないようにしながらもローダーの上下及び左右移動並びにツイスト運動を可能にしたため、風によってローダーが左右に動くスイング（ｓｗｉｎｇ）現象を予防しながらも、ローダーの上下移動の他に、前後移動及びツイストが可能になり、コンテナの固定が円滑になるという効果を奏する。
【図面の簡単な説明】
【０１５８】
【図１】本発明の好適な一実施例によるコンテナ処理方法を示すフローチャートである。
【図２】本発明の好適な他の実施例によるコンテナ処理方法を示すフローチャートである。
【図３】本発明の第１実施例によるコンテナ処理装置の概略的な全体構成を示す正断面図である。
【図４】本発明の第１実施例によるコンテナ処理装置の要部を示す正断面図である。
【図５】図４の拡大図である。
【図６】本発明の第１実施例における移送トラベラーの作動状態を示す要部の側断面図である。
【図７】本発明の第１実施例における移送トラベラーの作動状態を示す要部の側断面図である。
【図８】本発明の第１実施例における移送トラベラーの作動状態を示す要部の側断面図である。
【図９】本発明の第２実施例によるタワー式コンテナ積載システムを示す正面図である。
【図１０】図９の平面図である。
【図１１】図９におけるトラベラーの作動状態を示す拡大図である。
【図１２】本発明の第３実施例によるコンテナ処理装置の要部を示す正断面図である。
【図１３】本発明の第３実施例に適用される台車を示す斜視図である。
【図１４】本発明の第４実施例によるコンテナ処理装置の要部を示す斜視図である。
【図１５】図１４におけるローダー本体を示す分解斜視図である。
【図１６】図１４における昇降フレームを示す斜視図である。
【図１７】図１４におけるスプレッダーを示す斜視図である。
【図１８】本発明の第４実施例によるコンテナ処理装置の組立状態を示す側面図である。
【図１９】本発明の第４実施例における位置調節部を示す平面図である。
【図２０】本発明の第４実施例における位置調節部を示す正面図である。
【図２１】本発明の第４実施例におけるスプレッダーの作動状態を示す平面図である。
【図２２】本発明の第４実施例におけるスプレッダーの作動状態を示す平面図である。
【図２３】従来のタワー式コンテナ積載システムの概略的な全体構成を示す正断面図である。
【図２４】図２３の要部拡大図である。
【図１】
2008534406.tif 000002
【図２】
2008534406.tif 000003
【図３】
2008534406.tif 000004
【図４】
2008534406.tif 000005
【図５】
2008534406.tif 000006
【図６】
2008534406.tif 000007
【図７】
2008534406.tif 000008
【図８】
2008534406.tif 000009
【図９】
2008534406.tif 000010
【図１０】
2008534406.tif 000011
【図１１】
2008534406.tif 000012
【図１２】
2008534406.tif 000013
【図１３】
2008534406.tif 000014
【図１４】
2008534406.tif 000015
【図１５】
2008534406.tif 000016
【図１６】
2008534406.tif 000017
【図１７】
2008534406.tif 000018
【図１８】
2008534406.tif 000019
【図１９】
2008534406.tif 000020
【図２０】
2008534406.tif 000021
【図２１】
2008534406.tif 000022
【図２２】
2008534406.tif 000023
【図２３】
2008534406.tif 000024
【図２４】
2008534406.tif 000025
【国際調査報告】
2008534406.tif 000026
2008534406.tif 000027